(57)【要約】【課題】互いに近接する異なるコネクタポートの使用を許容するコネクタパネルを提供する。【解決手段】コネクタパネルは、例えば光学コネクタポートのような第１類のコネクタポートを有する。ヒンジ部品は、第１類のコネクタポートの付近に位置し、且つ第２類のコネクタポートを含む。ヒンジ部品は、第１類コネクタポートの邪魔を受けずにコネクタが第２類コネクタポートから差し込み又は取り除くことを許容するように、コネクタパネルから外へ揺動してよい。【選択図】図２
2019049958.tif 000002
【特許請求の範囲】
【請求項１】
ケースと、
前記ケースの一方の端に位置し、第１のコネクタポートを有するコネクタパネルと、
前記第１のコネクタポートに近接し、且つ第２のコネクタポートを有し、前記コネクタパネルと面一である第１の位置と前記コネクタパネルから離れる第２の位置との間に揺動するように操作可能にされるヒンジ部品と、
を含むネットワーク装置。
【請求項２】
前記第１のコネクタポート及び前記第２のコネクタポートは、異なるタイプの嵌合コネクタを受けるための異なるタイプのコネクタポートである請求項１に記載のネットワーク装置。
【請求項３】
前記第１のコネクタポートは、光学コネクタポートであり、且つ前記第２のコネクタポートは、有線コネクタポートである請求項１に記載のネットワーク装置。
【請求項４】
前記第２のコネクタポートは、嵌合コネクタのラッチを収納するためのスロットを含む請求項１に記載のネットワーク装置。
【請求項５】
前記ヒンジ部品を前記第１の位置に保持するロック位置、及び前記ヒンジ部品を緩めるオープン位置を有するラッチ部品を更に含む請求項１に記載のネットワーク装置。
【請求項６】
第３のコネクタポートは、前記コネクタパネル又は前記ヒンジ部品に位置する請求項１に記載のネットワーク装置。
【請求項７】
ケーブルのネットワーク装置への接続を許容するコネクタパネルであって、
第１のコネクタポートを含む第１のエリアと、
前記第１のエリアに近接して、ヒンジ部品を含む第２のエリアを備え、
前記ヒンジ部品は、前記第１のエリアと面一である第１の位置と前記第２のエリアから離れる第２の位置との間に揺動するように操作可能にされ、第２のコネクタポートを含むコネクタパネル。
【請求項８】
前記第１のコネクタポート及び前記第２のコネクタポートは、異なるタイプの嵌合コネクタを受けるための異なるタイプのコネクタポートである請求項７に記載のコネクタパネル。
【請求項９】
前記第２のコネクタポートは、嵌合コネクタのラッチを受けるためのスロットを含む請求項７に記載のコネクタパネル。
【請求項１０】
前記ヒンジ部品を前記第１の位置に保持するロック位置、及び前記ヒンジ部品を緩めるオープン位置を有するラッチ部品を更に含む請求項７に記載のコネクタパネル。
【発明の詳細な説明】
【技術分野】
【０００１】
本開示は、コネクタへのアクセスを許容するコンパクトなコネクタパネルに関する。
【背景技術】
【０００２】
クラウドコンピュータに用いられるアプリケーションの出現につれて、分散ネットワークシステムが広く使用されている。ネットワークシステムは、主に、異なる装置の間のデータ交換や記憶に対応する。ネットワークシステムの一部のネットワーク装置としては、サーバ、スイッチ及びネットワーク機能を正確に実行するように異なるデータ信号及び制御信号を受信可能な他の部品を含む。電子信号を持つ異なるタイプのケーブルに接続するための様々なコネクタが現われている。コネクタは、物理的配置、接続装置のタイプ、導電性コネクタの数及び他の特性の点で異なることがある。例えば、雄コネクタは、その対応的な電気接点を有するソケット又はポートに合わせた電気信号に対応するように、個数可変のピンを有してもよい。最大限に異なる設備に接続するために、ネットワーク装置は、異なるタイプのコネクタへの接続を許容するように、異なるタイプのコネクタポートを有しなければならない。例えば、ネットワークサーバのようなネットワーク装置は、一般的に、各種の小型マイクロデバイスに適するユニバーサルシリアルバス（Ｕｎｉｖｅｒｓａｌ  Ｓｅｒｉａｌ  Ｂｕｓ；ＵＳＢ）コネクタ、イーサケーブルに関連する１０つのピンとの接続を許容するＲＪ−４５コネクタ、及びビデオコネクタ等に関連するビデオコネクタを含む。
【０００３】
最近、ネットワーク能力を高めるニーズに応じて光ファイバの組み合わせが生じ、それが従来の有線ケーブルよりも高い速度でより多くのデータ量を受けることができる。光学コネクタの組み合わせは、例えば、ネットワークスイッチのようなネットワーク装置がより高いデータ伝送速度での運行を許容する。コネクタが光信号を電気信号に転換する回路を含まなければならないため、光ファイバは、従来の電気コネクタと異なる専門的なコネクタを必要とする。しかしながら、光学コネクタから光信号を読み取るネットワーク装置は、従来のケーブルにより伝送される信号を受信するために、依然として数多くの古い電気的接続ポートを含まなければならない。
【０００４】
光学コネクタの組み合わせは、標準ネットワーク装置のケースの高さの比較的な一貫性でサイズ問題が生じる。図１Ａは、先行技術のコネクタパネルを示し、光ファイバへの接続を許容する複数の光学コネクタポート１２を有するネットワーク装置１０である。本例における光学コネクタポート１２は、バックパネル１４に組み合わせられる。図１Ａに示すように、光学コネクタポート１２は、長方状のトランシーバプラグ、円柱状（ｃｙｌｉｎｄｅｒ）のトランシーバ及びトランシーバタグを含むため、バックパネル１４の著しいエリアを占め、バックパネル１４から外へ延伸する。光学コネクタポート１２の上方のエリアは、ワイヤーに用いられる従来の１０つのピンＲＪ−４５のコネクタポート１６の空間を含む。他の電気コネクタポートも、光学コネクタポート１２の上方のエリアに位置してよい。図１Ａは、コネクタポート１６に挿入するＲＪ−４５型コネクタ１８を示す。ＲＪ−４５コネクタ１８は、電話に基づく物理的コネクタであり、例えばコネクタポート１６のような、コネクタポートにおける対応する導体と整合する複数の導体スロットを有する。ＲＪ−４５コネクタ１８は、コネクタ１８の主体のフロントから伸び出す弾性ラッチ２０を含む。コネクタポート１６からＲＪ−４５コネクタ１８を緩めるように、ラッチ２０の端部が押圧されてもよい。図１Ａに示すように、ラッチ２０をコネクタ１８のトップのスロット２２の中に位置づける配置である。パネル１４がネットワーク装置１０に積み重ねられた別の装置と面一である可能性があるため、このような配置により、パネル１４が追加的に高くなりラッチ２０に近づきがたくなる。従って、ＲＪ−４５コネクタ１８とコネクタポート１６を分けにくい。
【０００５】
光ファイバコネクタポート及びワイヤーコネクタポートの別の取り替わる配置は、図１Ｂにおける別の例示的なネットワーク装置５０である。図１Ｂにおいて、例えば光学コネクタポート１２、ＲＪ−４５コネクタポート１６とＲＪ−４５コネクタ１８のような、図１Ａと同じ素子は、同じ符号を有する。ネットワーク装置５０において、ＲＪ−４５コネクタ１８は、ラッチ２０をパネル１４のエッジから離れさせるように配置される。これにより、ネットワーク装置５０の高さが更に低くなることを許容する。しかしながら、図１Ｂに示すように、ラッチ２０が光学コネクタポート１２に隣接するため、ラッチ２０には近寄りがたい。また、光学コネクタポート１２がラッチ２０の真下に位置しラッチ２０の移動を邪魔するため、ＲＪ−４５コネクタ１８を緩めるようにラッチ２０を下に引きにくい。
【発明の概要】
【発明が解決しようとする課題】
【０００６】
従って、ラッチに基づくコネクタが容易に接続し又は分離することを許容するコネクタパネルを必要とする。光学コネクタポート及び標準電気コネクタポートを含むコネクタパネルも必要とする。高さを最小化にするが異なるタイプのコネクタポートを許容するコネクタパネルも必要とする。
【課題を解決するための手段】
【０００７】
本開示の一部の実施例によると、ケースと、ケースの一方の端に位置し、第１のコネクタポートを有するコネクタパネルと、第１のコネクタポートに近接し、且つ第２のコネクタポートを有し、コネクタパネルと面一である第１の位置とコネクタパネルから離れる第２の位置との間に揺動するように操作可能にされるヒンジ部品と、を含むネットワーク装置を提供する。
【０００８】
本開示の一部の実施例によると、第１のコネクタポート及び第２のコネクタポートは、異なるタイプの嵌合コネクタを受けるための異なるタイプのコネクタポートである。
【０００９】
本開示の一部の実施例によると、第１のコネクタポートは、光学コネクタポートであり、且つ第２のコネクタポートは、有線コネクタポートである。
【００１０】
本開示の一部の実施例によると、第２のコネクタポートは、嵌合コネクタのラッチを収納するためのスロットを含む。
【００１１】
本開示の一部の実施例によると、嵌合コネクタは、ＲＪ−４５コネクタである。
【００１２】
本開示の一部の実施例によると、上記ネットワーク装置は、ヒンジ部品を第１の位置に保持するロック位置、及びヒンジ部品を緩めるオープン位置を有するラッチ部品を更に含む。
【００１３】
本開示の一部の実施例によると、第３のコネクタポートは、コネクタパネル又はヒンジ部品に位置する。
【００１４】
本開示の一部の実施例によると、ケーブルのネットワーク装置への接続を許容するコネクタパネルであって、第１のコネクタポートを含む第１のエリアと、第１のエリアに近接して、ヒンジ部品を含む第２のエリアを備え、ヒンジ部品は、第１のエリアと面一である第１の位置と第２のエリアから離れる第２の位置との間に揺動するように操作可能にされ、第２のコネクタポートを含むコネクタパネルを提供する。
【００１５】
本開示の一部の実施例によると、第１のコネクタポートと第２のコネクタポートは、異なるタイプの嵌合コネクタを受けるための異なるタイプのコネクタポートである。
【００１６】
本開示の一部の実施例によると、第１のコネクタポートは、パネルから外へ延伸する光学コネクタポートであり、且つ、第２のコネクタポートは、有線コネクタポートである。
【００１７】
本開示の一部の実施例によると、第２のコネクタポートは、嵌合コネクタのラッチを受けるためのスロットを含む。
【００１８】
本開示の一部の実施例によると、嵌合コネクタは、ＲＪ−４５コネクタである。
【００１９】
本開示の一部の実施例によると、上記コネクタパネルは、ヒンジ部品を第１の位置に保持するロック位置、及びヒンジ部品を緩めるオープン位置を有するラッチ部品を更に含む。
【図面の簡単な説明】
【００２０】
添付図面に合わせて以下の例示的な実施例の説明によれば、よりよく本開示を理解させることができる。添付図面は、以下の通りである。
【図１Ａ】電気コネクタポート及び光学コネクタポートを含む先行技術のコネクタパネルを示す。
【図１Ｂ】図１Ａとはラッチの設置方向が異なり、電気コネクタポート及び光学コネクタポートを含む別の先行技術のコネクタパネルを示す。
【図２】ヒンジ部品に光学コネクタポート及び電気コネクタポートを有するコネクタパネルを示す斜視図である、
【図３】図２におけるコネクタパネルを示す斜視図であり、ヒンジ部品が外へ揺動する。
【図４】図２におけるコネクタパネルを示す斜視図であり、ヒンジ部品が改めてコネクタパネルに接続される。
【発明を実施するための形態】
【００２１】
本開示は、様々な修正や代替形態を可能にし、ある代表的な実施例は、図面において例として示されており、本文において詳細に記載される。しかしながら、本開示は、開示される特定の形態に限定されないことを理解されたい。その代わりに、本開示は、添付の特許請求の範囲によって規定される本開示の精神及び範囲内に入る全ての修正、等価物、及び代替物を含むことが意図されている。
本開示は、数多くの異なる形態で実施されることができる。代表的な実施例は図面に示されており、本文において詳細に説明されるが、これは本開示の原理的な例示又は説明であり、本開示の広い範囲で示される実施例を限定することを意図しない。これに関して、要約書、発明内容及び実施形態に開示されているが、特許請求の範囲に明示的に記載されていないような要素及び制限は、暗示、推論、又は他の方法で個別に又は集合的に請求項に組み込まれるべきではない。本文の詳細な説明の目的のために、明確に排除されない限り、単数は複数を含み、その逆も含み、「含む」という用語は「含むがこれに限定されない」を意味する。また、「ほぼ」、「ほとんど」、「実質的に」、「およそ」などの近似を示す語には、例えば、「その値、付近若しくは近い」又は「３〜５％以内」又は「許容される製造公差内」又はそれらの任意の論理的組み合わせを含む。
【００２２】
図２は、各種のコネクタポートを有する例示的な装置を示し、例えば異なるネットワークノードとの間にデータ信号を伝送するためのネットワークスイッチ装置１００である。図２に示すように、ネットワークスイッチ装置１００は、後端１０４を含むケース１０２を備える。異なるタイプのコネクタケーブルによる他のネットワークノード及び装置への接続を許容するように、後端１０４が各種のコネクタポートに用いられるインタフェースハードウェアを有する。
【００２３】
後端１０４は、一連の光学コネクタポート１１２を含むコネクタパネル１１０を備える。図２に示すように、各光学コネクタポート１１２は、コネクタパネル１１０から外へ延伸する長方状のトランシーバプラグ１１３を有する。長方状の本体は、光ファイバからの光学信号を受けるためのファイバーシェル材料、及び光ファイバ上の光学信号を電気信号に転換するための機械及び電子素子を含む。各光学コネクタポート１１２は、光学コネクタポート１１２の接続や伝送を指示する２つの発光ダイオード（ｌｉｇｈｔ−ｅｍｉｔｔｉｎｇ  ｄｉｏｄｅ；ＬＥＤ）１１４、１１６に近接する。この実施例において、各光学コネクタポート１１２と光学トランシーバ１１８が組み合わせて、光学トランシーバ１１８はトランシーバタグ１２０を含み、光ファイバを対応する光学コネクタポート１１２に維持する。トランシーバタグ１２０は、光ファイバがねじれて光信号を低下させないように、光ファイバを位置付ける。もちろん、理解すべきなのは、望まれるネットワークの配置によって、光学トランシーバ１１８の挿入数を全ての光学コネクタポート１１２の数よりも小さくしてもよい。従って、ある光学コネクタポート１１２は、接続用の光学コネクタを有しない開放ポートであってもよい。
【００２４】
コネクタパネル１１０は、電気コネクタポートの添加に用いられるように、光学コネクタポート１１２の上方に位置するエリア１３０を含む。この実施例において、エリア１３０は、ユニバーサルシリアルバス（ＵＳＢ）コネクタポート１３２及び２つのＲＪ−４５コネクタポート１３４を含む。この実施例において、２つのＲＪ−４５コネクタポート１３４を示したが、理解すべきなのは、如何なる数のＲＪ−４５コネクタポート１３４の何れもコネクタパネル１１０に提供されてもよい。なお、他のタイプのコネクタポートは、エリア１３０の中に位置してもよい。ＲＪ−４５コネクタポート１３４及びユニバーサルシリアルバス（ＵＳＢ）コネクタポート１３２は、ヒンジ部品１５０にある。図２は、ＲＪ−４５コネクタポート１３４に差し込まれるＲＪ−４５コネクタ１４０を示す。図２に示すように、コネクタポート１３４は、光学コネクタポート１１２に近接する。このため、光学コネクタポート１１２及び差し込まれた光学トランシーバ１１８は、コネクタポート１３４の使用を邪魔する。
【００２５】
図２〜図３に示すように、ＲＪ−４５コネクタ１４０は、長方状の本体１４２を有し、そのトップ側に接続エリア１４４を有し、本体１４２の前端で切り抜かれたスロット中に１０本のワイヤーがある。本体１４２の後端は、ケーブルを収納するためのソケットを含む。弾性ラッチ１４６は、接続エリア１４４に対応する本体１４２の前端により支持される。弾性ラッチ１４６は、本体１４２の前端に対応する自由端１４８を有する。弾性ラッチ１４６の自由端１４８が押圧される場合、ＲＪ−４５コネクタ１４０は、ＲＪ−４５コネクタポート１３４から緩むことができる。
【００２６】
図４は、ＲＪ−４５コネクタが取り除かれたＲＪ−４５コネクタポート１３４を示す。ＲＪ−４５コネクタポート１３４は、フレーム部材１３６を含む。この実施例において、ＲＪ−４５コネクタポート１３４のトップ内壁は、図３に示すように、図３のＲＪ−４５コネクタ１４０における接続エリア１４４のスロットと組み合わせるようにワイヤー接点を含む。フレーム部材１３６は、ＲＪ−４５コネクタのラッチ１４６が挿入することを許容するように、底部に位置するスロット１３８を含む。
【００２７】
図２に示すように、ＲＪ−４５コネクタ１４０がＲＪ−４５コネクタポート１３４に挿入される場合、ヒンジ部品１５０は、一般的にコネクタパネル１１０と面一であるクローズド位置に位置する。ヒンジ部品１５０をクローズド位置に保持するように、ラッチ部品１５２が摺動してヒンジ部品１５０に隣接する。支持部材１５４は、コネクタパネル１１０を支持する。ピン１５６は、支持部材１５４に挿入し貫通して且つコネクタパネル１１０をネットワークスイッチ装置１００に保持する。コネクタポート１３４と光学コネクタポート１１２が密接するため、コネクタパネル１１０は比較的高さが低いが、光ファイバとケーブルの両者のそれぞれ対応する光学コネクタポート１１２及び電気コネクタポート１３４への接続を許容する。
【００２８】
図３は、コネクタパネル１１０から離れるようにヒンジ部品１５０が揺動して、ユーザがコネクタ１４０のようなＲＪ−４５コネクタとＲＪ−４５コネクタポート１３４を接続し分けることを許容する。図３に示すように、コネクタパネル１１０は、ヒンジ部品１５０に接続される枢転点２１２を支持する放熱フィン２１０を含む。このため、ヒンジ部品１５０は、枢転点２１２を回って回転してコネクタパネル１１０から離れることができる。各種のワイヤー（未図示）は、コネクタポート１３２、１３４に接続されるようにエリア１３０の後部に接続される。ワイヤーは、ヒンジ部品１５０が回転してコネクタパネル１１０から離れる場合、コネクタポート１３２、１３４のネットワークスイッチ装置１００における他のハードウェアへの接続を許容するように、十分な長さを有する。図３に示すように、一連のライトパイプ２１４は、各トランシーバプラグ１１３に接続される。
【００２９】
図３に示すように、ヒンジ部品１５０は、トップパネル２２０及び垂直な角度でトップパネル２２０に接続されるフロントパネル２２２を含む。中央フラップ２２４は、フロントパネル２２２の後部から延伸しトップパネル２２０に平行する。ヒンジ部品１５０がクローズド位置にある場合、中央フラップ２２４とトップパネル２２０は、図２〜図４に示すように、共に放熱フィン２１０のエッジに合致する溝を形成する。図２〜図４に示すように、フロントパネル２２２のサイズは、光学コネクタポート１１２の上方でエリア１３０を形成するようにコネクタパネル１１０と面一である。
【００３０】
図３に示すように、ラッチ部品１５２は、垂直に接続されるトップ部材２４０及びフロント部材２４２を含む。フロント部材２４２は、ネットワークスイッチ装置１００における溝（未図示）と組み合わせるピン２４４を有する。ヒンジ部品１５０を接触するようにラッチ部品１５２を押圧するバネ（未図示）を取り付けてよい。このため、ラッチ部品１５２は、ヒンジ部品１５０に対応するロック位置とオープン位置との間に移動することができる。この実施例において、ラッチ部品１５２の中央フラップ２２４は、突出部２２８を含み、ラッチ部品１５２が閉じる状態にある場合、この突出部が中央フラップ２２４のエッジから延伸する。トップ部材２４０とフロント部材２４２のエッジはそれぞれ突出部２２８とフロントパネル２２２を接触することに用いられて、ヒンジ部品１５０を図２に示すクローズド位置に保持する。
【００３１】
使用者が圧力を与えてラッチ部品１５２を図３に示すオープン位置に移動する場合、ヒンジ部品１５０が緩み且つコネクタパネル１１０から離れるように回転することができる。図３に示すように、ヒンジ部品１５０がコネクタパネル１１０から離れるように回転する場合、コネクタポート１３４は、直接光学コネクタポート１１２及び光学トランシーバ１１８のトップに位置しない。図３〜図４に示すように、ヒンジ部品１５０がコネクタパネル１１０から離れるように回転する場合、ＲＪ−４５コネクタ１４０に用いられるラッチ１４６が底部のスロット１３８で上方向に押圧される十分な空間を有することを許容して、容易にＲＪ−４５コネクタポート１３４からコネクタ１４０が緩められる。これは光学コネクタポート１１２と光学トランシーバ１１８がラッチ１４６の自由端１４８への接近を邪魔しないためである。このような形態によって、コネクタパネル１１０は小さい相対的な高さを有してもよく、これはＲＪ−４５コネクタポート１３４上に位置し且つＲＪ−４５コネクタ１４０のラッチ１４６を挿入するためのスロット１３８が、コネクタポート１３４の底部に位置してもよいためである。この実施例において、図３に示すように、コネクタ１４０は、ヒンジ部品１５０におけるＲＪ−４５コネクタポート１３４から取り除かれる。
【００３２】
図４は、ＲＪ−４５コネクタポート１３４から図２及び図３に示すＲＪ−４５コネクタ１４０を取り除いたヒンジ部品１５０を示す。ラッチ部品１５２がオープン位置に移動し、且つヒンジ部品１５０がコネクタパネル１１０上のクローズド位置に位置する。そして、ラッチ部品１５２は、クローズド位置に緩められてヒンジ部品１５０の中にロックされる。図３に示すように、ヒンジ部品１５０がコネクタパネル１１０から離れるように回転する場合、ＲＪ−４５コネクタは如何なる空きのＲＪ−４５接続ポート１３４に接続されてもよい。図４に示すように、コネクタポート１３４から図２〜図３中のコネクタ１４０を取り除き又は挿入した後で、ヒンジ部品１５０は揺動してコネクタパネル１１０と面一である位置に戻ることができる。
【００３３】
更なるコンパクトな配置を許容するように、コネクタパネル１１０は、複数行のコネクタを有してもよく、且つ前記ヒンジ部品１５０と類似する複数のヒンジ部品を有してもよい。例えば、コネクタの接続を便利にし、更なるコンパクトな配置を許容するように、コネクタパネル１１０は、パネルのトップと底部に近接するヒンジ部品１５０と類似する２組のヒンジ部品を有してもよい。前記ヒンジ部品１５０と類似する複数のヒンジ部品は、コネクタパネル１１０のトップ又は底部エッジに沿って配置してもよく、追加のコネクタポートを保持することに用いられる。なお、コネクタパネル１１０に固定されるコネクタポートは、光学コネクタポート１１２と同じ又は異なるタイプのコネクタであってもよい。ヒンジ部品１５０におけるコネクタポートは、全て同じ又は異なるタイプのものであってもよい。コネクタポートが垂直方向に配置されると、ヒンジ部品１５０と類似する別のヒンジ部品は、コネクタパネル１１０の一側面の付近に位置してもよい。
【００３４】
本開示に使用される用語「素子」、「モジュール」、「システム」等は一般的にコンピュータに関する実体を指し、ハードウェア（例えば回路）、ハードウェアとソフトウェアとの組み合わせ、ソフトウェア或いは１つ又は複数の特定機能を有する操作機器に関する実態であってもよい。例えば、部品は、プロセッサー（例えば、デジタル信号プロセッサー）で運行するプロセス、プロセッサー、物件、実行可能プログラム、実行スレッド、プログラム及び／又はコンピュータであってもよいがこれらに限定されない。説明として、コントローラーで運行するアプリケーションプログラム及びコントローラーの何れも部品であってもよい。１つ又は複数の部品はプロセス及び／又は実行スレッド内に存在してもよく、且つ部品は１台のコンピュータに位置しそして／又は２台又は複数台のコンピュータの間にあってもよい。また、「装置」は、特別な設計のハードウェアで示される。それでソフトウェアを実行して専門的に製造されるユニバーサルハードウェアによって、ハードウェアが特定の機能を実行できる。コンピュータ可読なメディアにおけるソフトウェア、又はその組み合わせを記憶する。
【００３５】
コンピュータ装置は、一般的に各種のメディアを備え、それがコンピュータ可読記憶メディア（ｃｏｍｐｕｔｅｒ−ｒｅａｄａｂｌｅ  ｓｔｏｒａｇｅ  ｍｅｄｉａ）及び／又は通信メディア（ｃｏｍｍｕｎｉｃａｔｉｏｎｓ  ｍｅｄｉａ）を含み、この２つの用語はここで互いに異なるように以下に使用される。コンピュータ可読記憶メディアは、コンピュータによってアクセス可能な任意の利用可能な記憶メディアであってもよく、一般に非一時的であり、揮発性及び不揮発性メディア（ｖｏｌａｔｉｌｅ  ａｎｄ  ｎｏｎｖｏｌａｔｉｌｅ  ｍｅｄｉａ）、リムーバブルメディアとノンリムーバブルメディアを含んでもよい。限定ではなく一例として、コンピュータ可読記憶メディアの実行は、コンピュータ可読コマンド、プログラムモジュール、構造化データ、又は非構造化データなどの情報を記憶するための任意の方法又は技術を組み合わせることによって達成することができる。コンピュータ可読記憶メディアは、ランダムアクセスメモリ（ｒａｎｄｏｍ  ａｃｃｅｓｓ  ｍｅｍｏｒｙ；ＲＡＭ）、読み出し専用メモリ（ｒｅａｄ−ｏｎｌｙ  ｍｅｍｏｒｙ；ＲＯＭ）、電気消去可能プログラマブル読み出し専用メモリ（ｅｌｅｃｔｒｉｃａｌｌｙ−ｅｒａｓａｂｌｅ  ｐｒｏｇｒａｍｍａｂｌｅ  ｒｅａｄ−ｏｎｌｙ  ｍｅｍｏｒｙ；ＥＥＰＲＯＭ）、フラッシュメモリ又は他のメモリ技術、コンパクトディスク読み取り専用メモリ（ｃｏｍｐａｃｔ  ｄｉｓｃ  ｒｅａｄ−ｏｎｌｙ  ｍｅｍｏｒｙ；ＣＤ−ＲＯＭ）、デジタル多用途ディスク（ｄｉｇｉｔａｌ  ｖｅｒｓａｔｉｌｅ  ｄｉｓｃ；ＤＶＤ）又は他の光ディスク記憶装置、磁気カセット、磁気テープ、磁気ディスク記憶装置又は他の磁気記憶装置又は必要な情報を記憶するために使用できるその他の有形のメディア及び／又は非一時的なメディアを含むがこれらに限定されない。コンピュータ可読記憶メディアは、１つの又は複数のネイティブコンピュータ装置又はリモートコンピュータ装置によってアクセスされ、例えば、アクセス要求、照会又は他のデータ検索プロトコルを介して、メディア記憶装置に関する情報の様々な操作に用いられる。
【００３６】
ここで使用される用語は、特定の実施例のみを説明するためのものであり、本発明を限定するものではない。明細書で使用されるように、単数形「１つ」、「単一」及び「前記」は、文脈上他に明確に指示されない限り、複数形も含むことが意図される。また、本文の詳細な説明及び／又は特許請求の範囲において、「備える」、「含む」、「有する」、「具備する」、「及び」という用語又はこれらの活用形が使用される限り、そのような用語は用語「含む」と同様である。
【００３７】
他に定義されない限り、ここで使用される全ての用語（技術用語及び科学用語を含む）は、当業者によって一般的に理解されるものと同じ意味を有する。また、一般的に使用される辞書に定義される用語は、関連分野の文脈における意味と一致する意味を有すると解釈されるべきであり、ここで明示的に定義されていない限り、理想化されているか過度に形式的であると理解されない。
【００３８】
以上、本開示の様々な実施形態を説明したが、それらは例示にすぎず、限定ではないことを理解されたい。本開示の精神又は範囲から逸脱することなく、本開示に従って、開示された実施例に対して様々な変更を行うことができる。従って、本開示の広さ及び範囲は、上記の実施例のいずれによっても制限されるべきではない。その代わりに、本開示の範囲は、添付の特許請求の範囲及びそれらの等価物によって定義されるべきである。
【００３９】
本開示は、１つ又は複数の実施例によって記載及び説明されているが、明細書及び図面を読んで理解すると、同等の変更及び修正が当業者に想到される。また、本開示の特定の特徴は、複数の実施例のうちの１つのみに開示されているが、このような特徴は、任意の所与の又は特定の用途のような他の実施例の１つ又は複数の他の特徴と組み合わせられ得る。
【符号の説明】
【００４０】
１０、５０  ネットワーク装置
１２、１１２  光学コネクタポート
１４  パネル
１６、１３２、１３４  コネクタポート
１８、１４０  コネクタ
２０、１４６  ラッチ
２２、１３８  スロット
１００  ネットワークスイッチ装置
１０２  ケース
１０４  後端
１１０  コネクタパネル
１１３  トランシーバプラグ
１１４、１１６  発光ダイオード
１１８  光学トランシーバ
１２０  トランシーバタグ
１３０  エリア
１３６  フレーム部材
１４２  本体
１４４  接続エリア
１４８  自由端
１５０  ヒンジ部品
１５２  ラッチ部品
１５４  支持部材
１５６、２４４  ピン
２１０  放熱フィン
２１２  枢転点
２１４  ライトパイプ
２２０  トップパネル
２２２  フロントパネル
２２８  突出部
２２４  フラップ
２４０  トップ部材
２４２  フロント部材
【図１Ａ】
2019049958.tif 000003
【図１Ｂ】
2019049958.tif 000004
【図２】
2019049958.tif 000005
【図３】
2019049958.tif 000006
【図４】
2019049958.tif 000007